(57)【要約】      （修正有）【課題】音の伝達効率が高く小型にすることが可能なスピーカー装置を提供する。【解決手段】放射板２と、前記放射板に連結され振動を発生する振動装置４とを少なくとも備えたスピーカー装置１であって、前記振動装置は、電気信号を振動に変えるアクチュエーター３０と、前記アクチュエーターのドーム状のキャップ３０３に一端が設けられた環状の駆動部材３０４と、前記駆動部材の他端に駆動部材を覆うように設けられた増幅手段３１と、前記増幅手段に設けられた伝達手段５とからなり、前記キャップと前記駆動部材と前記増幅手段とで振動伝達空間Ｓを構成する。【選択図】図１
2015144330.tif 000002
【特許請求の範囲】
【請求項１】
放射板と、前記放射板に連結され振動を発生する振動装置とを少なくとも備えたスピーカー装置であって、前記振動装置は、電気信号を振動に変えるアクチュエーターと、前記アクチュエーターのドーム状のキャップに一端が設けられた環状の駆動部材と、前記駆動部材の他端に駆動部材を覆うように設けられた増幅手段と、前記増幅手段に設けられた伝達手段とからなり、前記キャップと前記駆動部材と前記増幅手段とで振動伝達空間を構成したことを特徴とするスピーカー装置。
【請求項２】
前記増幅手段は、板状に形成されており、前記駆動部材の側方に突出して構成されている請求項１記載のスピーカー装置。
【請求項３】
前記伝達手段は、前記増幅手段における前記キャップの中心軸を通る位置の近傍位置に設けられた請求項１又は請求項２のいずれか１項に記載のスピーカー装置。
【請求項４】
前記振動伝達空間は、密閉した空間である請求項１乃至請求項３のいずれか１項に記載のスピーカー装置。
【請求項５】
前記放射板の裏面に前記振動装置が設けられ、前記振動装置で発生した振動が前記放射板に伝達され、前記振動が前記放射板から音として放射される請求項１乃至請求項４のいずれか１項に記載のスピーカー装置。
【発明の詳細な説明】
【技術分野】
【０００１】
本発明は、スピーカー装置に関するものである。          
【背景技術】
【０００２】
従来、スピーカー装置は人の聴覚を刺激して音を聴く装置であり、電気信号を振動装置に入力し前記振動装置で振動に変換された後、音発生部分に伝達して音として放射されるさまざまなスピーカー装置が考えられている。
【０００３】
しかし、下記特許文献１に開示されたスピーカー装置は、音源としてヨークと、永久磁石と、この磁場の中で電気信号が印加されるボイスコイルと、このボイスコイルを宙吊り状態で支持する支持部と、これらを収容するケースと、このケースの開口を塞ぐ蓋と、前記支持部の一端を取付けると共に、ロッド状部材の基端を当接させる凹部からなるものであり、音源から発生した振動は、そのままロッド状部材を介してスピーカーとなるはね部材に伝達されるだけであって、十分な音量を得ることができないものであり、大きな音量を得るためには音源を大型のものにする必要があり、重量も重くなるという問題点があった。
【先行技術文献】
【特許文献】
【０００４】
【特許文献１】特開２００９−１５９２４８号公報
【発明の概要】
【発明が解決しようとする課題】
【０００５】
本発明は上記の問題点に鑑みてなされたものであり、音の伝達効率が高く小型にすることが可能なスピーカー装置を提供することを目的とするものである。
【課題を解決するための手段】
【０００６】
本発明に係るスピーカー装置は、放射板と、前記放射板に連結され振動を発生する振動装置とを少なくとも備えたスピーカー装置であって、前記振動装置は、電気信号を振動に変えるアクチュエーターと、前記アクチュエーターのドーム状のキャップに一端が設けられた環状の駆動部材と、前記駆動部材の他端に駆動部材を覆うように設けられた増幅手段と、前記増幅手段に設けられた伝達手段とからなり、前記キャップと前記駆動部材と前記増幅手段とで振動伝達空間を構成したことを特徴とする。
本発明にあっては、前記増幅手段は、板状に形成されており、前記駆動部材の側方に突出して構成されていることが望ましい。
本発明にあっては、前記伝達手段は、前記増幅手段における前記キャップの中心軸を通る位置の近傍位置に設けられていることが望ましい。
本発明にあっては、前記振動伝達空間は、密閉した空間であることが望ましい。
本発明にあっては、前記放射板の裏面に前記振動装置が設けられ、前記振動装置で発生した振動が前記放射板に伝達され、前記振動が前記放射板から音として放射されることが望ましい。
【発明の効果】
【０００７】
本発明は、放射板と、前記放射板に連結され振動を発生する振動装置とを少なくとも備えたスピーカー装置であって、前記振動装置は、電気信号を振動に変えるアクチュエーターと、前記アクチュエーターのドーム状のキャップに一端が設けられた環状の駆動部材と、前記駆動部材の他端に駆動部材を覆うように設けられた増幅手段と、前記増幅手段に設けられた伝達手段とからなり、前記キャップと前記駆動部材と前記増幅手段とで振動伝達空間を構成したことを特徴とするものであるから、アクチュエーターで発生した振動は、駆動部材を介して増幅手段に増幅されて伝達されるとともに、放射板にも増幅して効率よく伝達されるという効果があり、更に、振動伝達空間により、アクチュエーターのドーム状のキャップから放射される振動を増幅手段に伝達することができるという効果があり、振動装置を小型かつ軽量にすることが可能であるという効果がある。
また、請求項２のように、増幅手段を駆動部材の側方に突出した板状に形成したものは、より大きく増幅することができるという効果がある。
また、請求項３のように、伝達手段は、増幅手段におけるキャップの中心軸を通る位置の近傍位置に設けられているものは、より大きく増幅することができるという効果がある。
また、請求項４のように、振動伝達空間を密閉した空間に形成したものは、アクチュエーターのドーム状のキャップから放射される振動を効率よく、増幅手段に伝達することができるという効果がある。
【図面の簡単な説明】
【０００８】
【図１】図１は本発明の実施例におけるスピーカー装置の正面図（断面図）。
【図２】図２は同上のスピーカー装置における振動装置の拡大断面図。
【図３】図３は同上のスピーカー装置における振動装置の拡大平面図。
【図４】図４は同上のスピーカー装置の外観斜視図。
【図５】図５は本発明の他の実施例におけるスピーカー装置の外観斜視図。
【図６】図６は本発明の他の実施例における振動装置の拡大断面図。
【図７】図７は本発明の他の実施例における振動装置の拡大平面図。
【発明を実施するための形態】
【０００９】
以下、本発明のスピーカー装置の実施例について図１乃至図４を参照して説明する。
スピーカー装置１は放射板２と振動伝達部材３と振動装置４とを備えており、振動装置４は、電気信号を振動に変えるアクチュエーター３０と、アクチュエーター３０のドーム状のキャップ３０３に一端が設けられた環状の駆動部材３０４と、駆動部材３０４の他端に駆動部材３０４を覆うように設けられた増幅手段３１と、増幅手段３１におけるキャップ３０３の中心軸を通る位置に設けられた伝達手段５とからなり、キャップ３０３と駆動部材３０３と増幅手段３１とで振動伝達空間Sを構成している。振動伝達空間Sは、密閉された空間が望ましいが、多少隙間が開いていても構わないものである。振動伝達空間Sを密閉にしたものは、密閉にしていないものに比し、２倍の音量を得ることが可能となる。振動伝達空間Sを設けることにより、アクチュエーターのドーム状のキャップから放射される振動を効率よく、増幅手段に伝達することができるという効果がある。
【００１０】
アクチュエーター３０は、磁石３０１と、ボイスコイル３０２と、キャップ３０３とを備えている。
【００１１】
磁石３０１は台座３２（保護カバーの底面にあたる）の表面のほぼ中心に固定具３０６により固定されている。磁石３０１にはその表面に開口するボイスコイル収納溝３０５が設けられている。ボイスコイル収納溝３０５は平面視（磁石３０１の表面から見て）で環状に形成されている。ボイスコイル３０２はリング状に形成されている。ボイスコイル３０２は収納溝３０５に収納されている。キャップ３０３はプラスチック製の厚みの薄い円盤で形成されている。  
【００１２】
キャップ３０３はボイスコイル３０２が収納溝３０５から脱落しないように保持するものである。キャップ３０３は収納溝の開口を塞ぐように磁石３０１の表面に設けられており、ドーム状に形成されている。
【００１３】
駆動部材３０４はダンボール等の紙製で、円筒形に形成されている。駆動部材３０４の径はボイスコイル３０２の径とほぼ同等に形成されている。駆動部材３０４はキャップ３０３の表面に設けられている。このとき、ボイスコイル３０２の端部と駆動部材３０４の端部とは、キャップ３０３を挟んで対向して配置されており、振動が効率よく伝わるようになっている。駆動部材３０４のキャップ３０３と当接する端部は、キャップ３０３と密着するように内側が高くなるように斜め傾斜して形成されており、面接触させることで振動が効率よく伝わるようになっている。駆動部材３０４には増幅手段３１が設けられている。
【００１４】
増幅手段３１は、金属製、プラスチック及木質材の板材が例示されるが、好ましくは平滑な板材で形成されることが好ましい。増幅手段３１は、駆動部材の側方に突出して形成されており、より大きく増幅することができるという効果がある。増幅手段３１には固定台３３が設けられている。
【００１５】
固定台３３は、増幅手段３１を挟んで対向して配置されている駆動部材３０４の径の中心と固定台３３の中心位置が合致するように固定されている。すなわち、振動装置４を構成するアクチュエーターの磁石３０１の中心と、ボイスコイル３０２の中心と、ボイスコイル収納溝３０５の中心と、キャップ３０３の中心と、駆動部材３０４の中心と、増幅手段３１の中心と、固定台３３の中心が、固定台３３の凹部の中心でX方向及びＹ方向、Ｚ方向の三方向の中心線が合致する構造であって、振動装置４に入力された電気信号が振動に変換され固定台３３の凹部の中心が振動の中心点となり、振動装置４の中心点音源を形成する構造であり、振動装置４の中心点音源は固定台３３の凹状部に当接させることで簡易に得られる。上記のように振動装置４から振動伝達部材３に振動が伝達される場合、中心点音源として、すなわち振動が一点に集中的に伝達されるものである。この場合、振動伝達部材３に強い振動が得られ放射板２に伝達し、広い音域が広い指向性で音が生成して放射される。ここでいう振動装置４の固定台３３凹状部の中心とは厳密な意味で用いられるものではなく、完全な中心から少しずれていても良いのであり、増幅手段３１におけるキャップ３０３の中心軸を通る位置の近傍位置に設けられていれば良いのである。近傍位置とは、キャップ３０３の直径の１０％の領域内（直径２０ミリメートルのキャップであれば、中心から２ミリメートル外れている領域内のことをいう）であれば、満足な音量を得ることが可能である。
固定台３３は、金属製や木質材で形成されるが、好ましくは気乾材が良い。この場合、固定台３３凹部は伝達手段５及振動伝達部材３の当接により圧縮され、木材内部からの反発力により密着性は高まり、振動装置４から得られる音源の伝達効率は高まり伝達手段５及振動伝達部材３に伝達される。
【００１６】
振動装置４から得られる音源は、図１（ｂ）に示す伝達手段５を介して振動伝達部材３に伝達もしくは、振動伝達部材３の一方の端部が棒状に形成された部分を固定台３３の凹部に当接することによって伝達され、振動が一点に集中的に強く伝達されるものである。この場合、人の触感によって軽減される振動伝達の損失を補うことができる。振動装置４の振動発生部保護材４１は、木質材でできている。振動伝達部材３及伝達手段５は気乾材で形成され、振動装置４から得られた振動は繊維方向に沿って伝達されることが好ましい。この場合、振動装置４から得られる音源の伝達効率は高まり放射板２に伝達される。
【００１７】
放射板２は放射板２の平面上の端部２０１と２０２は振動伝達部材３の設けられた箇所で重なり連結固定され、外円側に設けられた振動伝達部材３の端部が棒状に形成されて振動装置４に当接し、振動が振動伝達部材３の端部に集中的に強く伝達されている。放射板２の連結固定部分は内円側に設けられた振動伝達部材３でも良い。振動伝達部材３の端部が凹状に形成され、図１（ｂ）に示す伝達手段５を介して振動装置４に当接し、振動が振動伝達部材３の端部に集中的に強く伝達されている。振動伝達部材３の端部の凹凸の形状は、振動伝達部材３の断面形状によって適宜に選択される。振動伝達部材３及伝達手段５は一体的に形成されていても別体に形成されていても構わないものである。
【００１８】
図５は、本発明の他の実施例におけるスピーカー装置の外観斜視図であり、スピーカー１は放射板２と振動装置４と振動伝達部材３と伝達手段５とを備えている。
【００１９】
放射板２としては、その全体にスムーズに振動を伝達させるために、気乾材で形成される木製の平板を用いる。木製の平板としては、無垢材、複数の無垢材の薄板が積層された合板、複数の無垢材を組合せた集成材などが例示される。これらの中でも、放射板２は無垢材で形成されることが好ましい。放射板２は気乾材で形成されている。気乾材とは、大気中（空気中）で乾燥させた木材（製材）であって、大気の温度や湿度に応じた一定の含水率で平衡状態になっているものである。さらに、放射板２は気乾材の中でも平衡木材を用いるのが好ましい。平衡木材とは、室内空気環境が機械設備（暖房装置・冷房装置）によって快適な温度・湿度に制御された室内空気環境下で所定の含水率で平衡状態なった気乾材である。
【００２０】
放射板２として用いる気乾材を得るための乾燥方法は、大気中で乾燥させる天然乾燥方法であっても良いし、各種の乾燥機械を使用した人工乾燥方法でも良い。乾燥機械を使用した乾燥方法では、乾燥後に大気中（空気中）に晒して含水率が平衡状態になるまで養生する必要がある。気乾材を得る方法は、天然乾燥方法及び人工乾燥方法のいずれにも限定されない。放射板２は適宜の形状に形成されるが、例えば、矩形に形成されている。また、放射板２の大きさは適宜に形成される。矩形の放射板２の場合は、例えば、長手方向の寸法が４２０〜４０００ｍｍ、短手方向の寸法が２１０〜２０００ｍｍ、厚みが３〜３０ｍｍに形成されている。更に具体的には、放射板２は、長手方向の寸法が３０００ｍｍ、短手方向の寸法が１０００ｍｍ、厚みが３０ｍｍに形成される。放射板２の長手方向は繊維方向（木目方向Ｙ）と平行であることが好ましい。また放射板２の短手方向は年輪方向Ｘと平行であることが好ましい。尚、ここでいう平行は厳密な意味での平行でなく、多少、ずれていても良い。放射板２の長手方向は繊維方向と平行であると、放射板２の長手方向に振動が伝わりやすくなり、放射板２の全体に均一に振動が伝わりやすくなる。また、放射板２の比重は、０．３〜０．６５であることが好ましい。
放射板２の表面（音が放射される面）には塗膜が形成されていても良い。これにより、放射板２から放射される音が変化する。例えば、放射板２の表面に木材よりも硬度の高い塗膜が形成されていると、硬くて高い音が放射されやすい。塗膜としては、漆やウレタン塗料などを例示することができる。塗膜は放射板２の全面にわたって設けられていても良いし、一部分に設けられていても良い。
【００２１】
振動装置４は、図６及び図７のように、アクチュエーター３０と、増幅手段３１と、増幅板３１−０１とを備えて形成されている。増幅手段３１と、増幅板３１−０１とは、別体でシリコンシート等を使用して密着されていても構わないし、接着固定されていても構わないものであり、また、一体で形成されていても構わないものである。キャップ３０３と駆動部材３０４と増幅手段３１とで振動伝達空間Sを構成している。振動伝達空間Sは、密閉された空間が望ましいが、多少隙間が開いていても構わないものである。振動伝達空間Sを密閉にしたものは、密閉にしていないものに比し、２倍の音量を得ることが可能となる。振動伝達空間Sを設けることにより、アクチュエーターのドーム状のキャップから放射される振動を効率よく、増幅手段に伝達することができるという効果がある。
【００２２】
増幅板３１−０１はアクチュエーター３０から振動伝達部材３へ振動をよりスムーズに伝達させるためのものである。増幅板３１−０１は矩形の平板で形成されている。増幅板３１−０１は木製の平板、金属製の平板、プラスチック製の平板などで形成されている。木製の平板としては放射板２と同様に、無垢材、中密度繊維板（ＭＤＦ）、パーティクルボード、合板、集成材などが例示される。これらの中でも、増幅板３１−０１は無垢材で形成されることが好ましい。また増幅板３１−０１は放射板２と同様に、気乾材で形成されるのが好ましく、平衡木材で形成されるのがさらに好ましい。また増幅板３１−０１の比重も０．３〜０．６５であることが好ましい。さらに増幅板３１−０１は柾目と板目のいずれの木材（製材）であっても良いが、柾目の方が好ましい。また増幅板３１−０１の木目方向は増幅板３１−０１の長手方向と平行であることが好ましく、これにより、増幅板３１−０１の全体に振動が伝わりやすくなる。金属製の平板としては、アルミニウム板などを例示することができる。プラスチック製の平板としては、アクリル板などを例示することができる。また増幅板３１は完全に平らな板である必要はなく、多少反っていたり、表面に小さな凹凸があったりしても良い。
増幅板３１−０１は台座３２と対向して配置されている。振動装置４の長手方向の両端において、増幅板３１−０１の長手方向の端部と台座３２の長手方向の端部とは振動発生部保護材４１により連結されている。増幅板３１−０１と振動発生部保護材４１、及び台座３２と振動発生部保護材４１とは接着等により連結されている。増幅板３１−０１と台座３２の間にはアクチュエーター３０が設けられている。アクチュエーター３０の駆動部材３０４の先端は増幅手段３１の裏面（台座３２と対向する面）と接触されている。駆動部材３０４の先端と増幅板手段３１の裏面は接着されている。尚、増幅板３１−０１は振動を増幅する作用の他に、アクチュエーター３０を保護する働きもある。
【００２３】
増幅板３１−０１の表面には固定台３３が設けられている。固定台３３は木製、金属製、プラスチック製などであって、例えば、円柱状に形成されている。固定台３３は増幅板３１−０１の表面の中心に設けられている。固定台３３の円形の底面は増幅板３１−０１の表面に接着されている。
固定台３３には伝達手段５が設けられている。伝達手段５は木製、金属製、プラスチック製、竹製などの棒材で形成されている。伝達手段５は固定台３３の直径よりも小径に形成されており、例えば、直径５〜９ｍｍに形成されている。伝達手段５は固定台３３にその先端面の中心から差し込んで固定されている。伝達手段５の先端は固定台３３の先端面の中心から突出している。
【００２４】
振動装置４は音の電気信号に基いて振動を発生させるものである。すなわち、アンプ等から電気信号がアクチュエーター３０のボイスコイル３０２に入力されて電流が流れると、ボイスコイル３０２が磁石３０１の磁性の影響で振動する。ボイスコイル３０２はキャップ３０３を介して駆動部材３０４に接触しているので、ボイスコイル３０２の振動は駆動部材３０４に伝達される。駆動部材３０４は増幅手段３１に接触しているので、駆動部材３０４の振動は増幅手段３１に伝達される。そして増幅板３１−０１の振動とともに伝達手段５も振動する。ドーム状のキャップ３０３の表面からはボイスコイル３０２の振動が音として放射される。放射された音はキャップ３０３と駆動装置３０４と増幅手段３１によって密閉され増幅手段３１に強い振動として伝達する。このようにして振動装置４で振動を発生させることができる。
増幅板３１−０１の振動する部分の長手方向の寸法（振動幅）Ｈは、二つの振動発生部保護材４１の間の寸法と同じである。この振動幅Ｈはボイスコイル３０２の直径Ｄよりも大きく形成されている。従って、ボイスコイル３０２の振動が増幅板３１−０１に伝達した場合に、増幅板３１−０１のほぼ全体が振動して、ボイスコイル３０２の振動の振動幅（直径Ｄと同じ）よりも大きくなる。このようにしてボイスコイル３０２の振動の振動幅が増幅板３１−０１で増幅される。
増幅板３１−０１は材質や寸法や振動幅Ｈ等によって、放射板２から放射される音量や音域が変更される。  上記の振動装置４は平面視で矩形状に形成されているが、これに限らない。
【００２５】
振動伝達部材３は振動装置４から放射板２へ振動をよりスムーズに伝達させるためのものである。振動伝達部材３は矩形の平板や角材などで形成されている。振動伝達部材３は木製、金属製、プラスチック製、竹製などで形成されている。木製の振動伝達部材３としては放射板２と同様に、無垢材、中密度繊維板（ＭＤＦ）、パーティクルボード、合板、集成材などが例示される。これらの中でも、振動伝達部材３は無垢材で形成されることが好ましい。また振動伝達部材３は放射板２と同様に、気乾材で形成されるのが好ましく、平衡木材で形成されるのがさらに好ましい。また振動伝達部材３の比重も０．３〜０．６５であることが好ましい。さらに振動伝達部材３は柾目と板目のいずれの木材（製材）であっても良いが、板目の方が好ましい。また振動伝達部材３の木目方向Ｙは振動伝達部材３の長手方向と平行であることが好ましく、これにより、振動伝達部材３の全体に振動が伝わりやすくなる。金属製の振動伝達部材３としては、アルミニウム板などを例示することができる。プラスチック製の振動伝達部材３としては、アクリル板などを例示することができる。また振動伝達部材３は完全に平らな板である必要はなく、多少反っていたり、表面に小さな凹凸があったりしても良い。
振動伝達部材３の長手方向の寸法は、放射板２の短手方向の寸法と同等かやや短く形成することができる。また振動伝達部材３の短手方向の寸法は１２〜１００ｍｍ、好ましくは２０ｍｍ、振動伝達部材３の厚さは９〜２０ｍｍ、好ましくは１５ｍｍとすることができるが、これらに限定されるものではない。
【００２６】
そして、スピーカー１は、放射板２と振動伝達部材３と振動装置４とを一体化することにより形成される。振動伝達部材３は放射板２の裏面にビス等により取り付けられる。この場合、振動伝達部材３はその長手方向が放射板２の長手方向、すなわち繊維方向（木目方向Ｙ）と交差するように設けられる。また振動伝達部材３は放射板２の短手方向、すなわち年輪方向Ｘの全長にわたって設けられる。本明細書において、「交差」とは厳密な意味で用いられるものではなく、９０°から大きくずれて交わっていても良い。また「平行」とは厳密な意味で用いられるものではなく、ほぼ平行であれば良い。また「全長」とは厳密な意味で用いられるものではなく、完全な全長から多少長かったり短かったりしても良い。振動装置４は振動伝達部材３の裏面側（放射板２と接着していない面の方）に設けられる。この場合、振動伝達部材３の長手方向の略中央部には結合孔が設けられており、結合孔に振動装置４の伝達手段５を差し込むようにしている。振動伝達部材３と伝達手段５とは接着しても良いし、接着しなくても良い。
このようなスピーカー１は、振動装置４のアクチュエーター３０で発生した振動が増幅板３１−０１と固定台３３及び伝達手段５に伝達され、この振動が伝達手段５から振動伝達部材３に伝達され、さらに振動伝達部材３から放射板２へと伝達される。そして、放射板２に伝達された振動が音として空気中に放射され拡散されるものである。上記のように伝達手段５から振動伝達部材３に伝達される場合、点音源として、すなわち振動が一点に集中的に伝達されるものである。この場合、広い音域が広い指向性で均等に音が放射される。
【００２７】
そして、本実施の形態のスピーカー１は、次のような効果を奏する。放射板２や振動伝達部材３や増幅板３１−０１として、気乾材を用いることで、室内の空気環境の変化に順応し、割れや変形が起こりにくくなる。また木製の部材を主に用いることによって、静電気を帯電しないので、電気的なストレスが生じにくくなる。また放射板２の細胞構造（導管）に空気層を多く含むことから、放射板２から放射された音には高周波成分の少ない「柔らかな音」になりやすい。また細胞構造に基づく微妙な凹凸が放射板２にあるため、光が乱反射を繰り返すことで、紫外線が吸収され、グレア（まぶしさ）を軽減することができ、目が疲れにくい。また親水性の高い細胞構造が常に保水状態が一定になるように分子レベルで平衡状態となる「調湿機能」があり、設置された室内が快適となりやすい。また木材には人の心を落ち着かせてくれる独特の香りがあるので、音ともに疲労やストレスの軽減になりやすく、リラックス感が得られやすい。木目には年輪があり、年輪幅は一定ではないので、自然環境により成育条件が異なる年輪の間隔に１／ｆゆらぎが存在すると考えられる。このゆらぎが人に自然な深みのあるイメージを与えやすい。また木材を利用することで、二酸化炭素の固定や森林環境の保全に貢献できる。またエンクロージャーが必要でなく、定常波が発生せず、音質の悪化を低減することができる。
【符号の説明】
【００２８】
１  スピーカー装置
２  放射板
３  振動伝達部材
４  振動装置
３０  アクチュエーター
３０３  キャップ
３０４  駆動部材
３１  増幅手段
５  伝達手段
Ｓ  振動伝達空間
【図１】
2015144330.tif 000003
【図２】
2015144330.tif 000004
【図３】
2015144330.tif 000005
【図４】
2015144330.tif 000006
【図５】
2015144330.tif 000007
【図６】
2015144330.tif 000008
【図７】
2015144330.tif 000009